(57)【要約】      （修正有）【課題】軽量でかつ弾力性、断熱性及び吸音性に優れた薄畳を提供する。【解決手段】木質繊維ボード製の芯材１３と、芯材１３の表面に積層したプラスチック段ボール１４の２層構造として、それらの表裏両面に独立発泡プラスチック製クッション材１５，１７を積層する。【選択図】図１
0003176385.tif 000002
【実用新案登録請求の範囲】
【請求項１】
全体の厚みが２５ｍｍ以下の薄畳であって、木質繊維ボード製の芯材の表面にプラスチック段ボールを積層し、プラスチック段ボールに独立発泡プラスチック製の表側クッション材を積層し、
芯材の裏面に独立発泡プラスチック製の裏側クッション材を積層し、
表側クッション材を畳表で被覆するとともに、裏側クッション材を裏紙で被覆したことを特徴とする薄畳。
【請求項２】
前記芯材を表側芯材と裏側芯材の２層構造で構成するとともに、表側芯材に裏側芯材より軟質の材料を用いたことを特徴とする請求項１に記載の薄畳。
【請求項３】
前記芯材を表側芯材と裏側芯材の２層構造で構成するとともに、表側芯材にインシュレーションボードを用い、裏側芯材にセミケミカルパルプボードを用いたことを特徴とする請求項１に記載の発明。  
【考案の詳細な説明】
【技術分野】
【０００１】
本考案は、全体の厚みが25mm以下の薄畳に関する。
【背景技術】
【０００２】
近時、稲わら製の芯材に代えて木質繊維ボードを使用し、全体の厚みが25mm以下の薄畳が市場に供給されている。
この種の薄型畳の一形式として、特許第３５８８７００号公報には、木質繊維ボードの表裏にプラスチック段ボールを積層し、表側のプラスチック段ボールに厚紙若しくはポリプロピレンクロス製の保護シートを積層し、裏側のプラスチック段ボールにゴム製の保護シートを積層し、表側の保護シートを畳表で被覆した薄畳が開示されている。
【先行技術文献】
【特許文献】
【０００３】
【特許文献１】特許第３５８８７００号
【考案の概要】
【考案が解決しようとする課題】
【０００４】
この種の薄畳には、運搬や施工を容易にするため軽量性が求められる。また、寝転んだり、座ったりしたとき心地良い体感の得られる弾力性が求められる。さらにまた、室内が夏季は涼しく、冬季は暖かくなるように空調効果を保てる高い断熱性が求められる。また上階の足音が階下に伝わるのを防止できる吸音性が求められる。
【０００５】
木質繊維ボートの芯材の表裏両面にプラスチックダンボールを積層した従来の薄畳は、所要の軽量性は確保できるものの、弾力性、断熱性及び吸音性、とりわけ、吸音性が悪く、使用した場合、上階の足音や落下音が伝わり易い。
本考案はかかる点に鑑み、軽量でかつ弾力性、断熱性及び吸音性に優れた薄畳を提供することを目的とする。
【課題を解決するための手段】
【０００６】
請求項１に記載の考案に係る薄畳は、全体の厚みが２５ｍｍ以下の薄畳であって、木質繊維ボード製の芯材の表面にプラスチック段ボールを積層し、プラスチック段ボールに独立発泡プラスチック製の表側クッション材を積層し、
芯材の裏面に独立発泡プラスチック製の裏側クッション材を積層し、
表側クッション材を畳表で被覆するとともに、裏側クッション材を裏紙で被覆したことを特徴とする。
【０００７】
請求項２に記載の考案は、請求項１に記載の薄畳において、前記芯材を表側芯材と裏側芯材の２層構造で構成するとともに、表側芯材に裏側芯材より軟質の材料を用いたことを特徴とする。
【０００８】
請求項３に記載の発明は、請求項１に記載の発明において、前記芯材を表側芯材と裏側芯材の２層構造で構成するとともに、表側芯材にインシュレーションボードを用い、裏側芯材にセミケミカルパルプボードを用いたことを特徴とする。
【考案の効果】
【０００９】
請求項１に記載の考案に係る薄畳によれば、木質繊維ボード製の芯材と、芯材の表面に積層したプラスチック段ボールの２層構造によって所要の弾力性が確保できる。
そして、芯材の表裏両面に積層した独立発泡プラスチック製クッション材の防振効果により足音や落下音が吸収されるので、高い吸音効果を得ることができる。
また、独立発泡プラスチック製クッション材は気泡内部に空気を含むので、気泡の空気層によって、高い断熱性を得ることができる。
【００１０】
請求項２に記載の考案によれば、芯材を軟質材と硬質材の２層構造にしたので、プラスチック段ボールと軟質芯材及び硬質芯材の３層構造により弾力度の調整が可能となり、所望の弾力性が得易くなる。
【００１１】
請求項３に記載の考案に係る薄畳によれば、セミケミカルパルプボードとインシュレーションボードから成る芯材と、芯材の表面に積層したプラスチック段ボールの２層構造によって所要の弾力性が確保できる。
また、裏側芯材にセミケミカルパルプボードを使用したので、より軽量化を図ることができる。
【図面の簡単な説明】
【００１２】
【図１】本考案の第１実施例に係る薄畳を示す部分断面図である。
【図２】本考案の第２実施例に係る薄畳を示す部分断面図である。
【実施例１】
【００１３】
以下に本考案を図面に基づき説明する。図１には本考案の第１実施例に係る薄畳が示されている。当該薄畳１０は裏側芯材として木質繊維ボードの一種であるハードボード１１の上に、表側芯材として、同じく木質繊維ボードの一種であるインシュレーションボート１２を積層して形成した芯材１３を備えている。
【００１４】
芯材１３の表側を構成するインシュレーションボード１２は芯材１３の裏側を構成するハードボード１１より軟質の材料が用いられている。
【００１５】
芯材１３の表面にはプラスチック段ボール１４が積層され、プラスチック段ボール１４の表面に独立発泡プラスチック製の表側クッション材１５としてポリエチレンシートが積層されている。そして、表側クッション材１５の表面が畳表１６で被覆されている。
【００１６】
芯材１３の裏面には独立発泡プラスチック製の裏側クッション材１７としてポリプロピレンシートが積層され、該裏側クッション材１７が裏紙１８で被覆されている。畳表１６、表側クッション材１５、プラスチック段ボール１４、インシュレーションボード１２、ハードボード１１、裏側クッション材１７及び裏紙１８は一体に縫着されている。
【００１７】
それぞれ、畳表１６は２ｍｍ、表側クッション材１７は２ｍｍ、プラスチック段ボール１４は２．５ｍｍ、インシュレーションボード１２は５ｍｍ、ハードボード１１は１．５ｍｍ、裏側クッション材１７は２．５ｍｍの厚さのものが使用されており、薄畳１０の全体の厚さは約１５．５ｍｍとなっている。
【００１８】
第１実施例に係る薄畳１０の構造は以上の通りであって、木質繊維ボード製の芯材１３と、芯材１３の表面に積層したプラスチック段ボール１４の２層構造によって所要の弾力性が確保できる。
そして、芯材１３の表裏両面に積層した独立発泡プラスチック製クッション材１５，１７の防振効果により足音や落下音が吸収されるので、高い吸音効果を得ることができる。
また、独立発泡プラスチック製クッション材１５，１７は気泡によって空気層が形成されているので、高い断熱性を得ることができる。
【００１９】
また、本実施例に係る薄畳１０では、芯材１３を軟質芯材１２と硬質芯材１１の２層構造にしたので、プラスチック段ボール１４と軟質芯材１２及び硬質芯材１１の３層構造により弾力度の調整が可能となり、所望の弾力性が得易くなる。
【実施例２】
【００２０】
本考案の第２実施例に係る薄畳２０を図２に示す。第２実施例に係る薄畳２０の芯材２１は裏側芯材２２と表側芯材１２から成る２層構造を有し、表側芯材１２にはインシュレーションボードが用いられている。また、裏側芯材２２には、セミケミカルパルプ法で製造され、段ボールの中芯や新聞用紙の主原料となるセミケミカルパルプを板状に成形したセミケミカルパルプボードが用いられている。
なお、第２実施例に係る薄畳２０の他の構造は第１実施例に係る薄畳１０と同じであるので、同一の構成要素に同一の符号を付して説明を省略する。
【００２１】
第２実施例に係る薄畳２０によれば、セミケミカルパルプボード製の裏側芯材２２と、インシュレーションボード製の表側芯材１２から成る芯材２１と、芯材２１の表面に積層したプラスチック段ボール１４の３層構造によって所要の弾力性が確保できる。
また、裏側芯材２２にセミケミカルパルプボードを使用したので、より軽量化を図ることができる。
【符号の説明】
【００２２】
１０，２０…薄畳
１１…裏側芯材（ハードボード）
１２…表側芯材（インシュレーションボード）
１３，２１…芯材
１４…プラスチック段ボール
１５…表側クッション材
１６…畳表
１７…裏側クッション材
１８…裏紙
２２…裏側芯材（セミケミカルパルプボード）
【図１】
0003176385.tif 000003
【図２】
0003176385.tif 000004
【手続補正書】
【提出日】平成24年4月9日(2012.4.9)
【手続補正１】
【補正対象書類名】実用新案登録請求の範囲
【補正対象項目名】請求項３
【補正方法】変更
【補正の内容】
【請求項３】
前記芯材を表側芯材と裏側芯材の２層構造で構成するとともに、表側芯材にインシュレーションボードを用い、裏側芯材にセミケミカルパルプボードを用いたことを特徴とする請求項１に記載の薄畳。